(57)【特許請求の範囲】
【請求項１】
駆動軸に配されたセパレートローラと、前記駆動軸を支点として回動自在に設けられるピックアップアームと、該ピックアップアームの先端に回転可能に設けられるピックアップローラを備えてなる給紙装置であって、前記ピックアップアームの基部には作動部を設け、該作動部に当接可能に作動片を設け、該作動片は、原稿が検知されたときは前記ピックアップローラを下降させ、原稿なしを検出したときには前記ピックアップローラを上昇させるように、前記ピックアップアームを揺動させることを特徴とする、給紙装置。
【請求項２】
前記作動片の形状はカム形状をなしていることを特徴とする、請求項１記載の給紙装置。
【発明の詳細な説明】
【０００１】
【発明の属する技術分野】
本発明は、給紙装置の構成に関し、特に、重ねた状態でセットした原稿を上層から繰り込むピックアップローラを、確実に昇降させる構成に関する。
【０００２】
【従来の技術】
従来から知られている給紙装置の一般的な構成として、駆動軸にセパレートローラを配設し、ピックアップアームを前記駆動軸を支点として回動自在に設け、該ピックアップアームの先端にピックアップローラを支持するものがある。
この構成で給紙を開始する場合は、ピックアップアームを下方回動させて、予めセットされた原稿束の上面にピックアップローラを下降し、接触・加圧させた上で、ピックアップローラを駆動させて原稿束を一枚ずつ繰り込み、前記セパレートローラに向けて原稿を送り出す。全ての原稿の繰込みが終わると、ピックアップアームを上方回動させてピックアップローラを上昇させ、新たな原稿束のセットが可能な状態になる。
【０００３】
ここで、一般に、前述のような前記ピックアップローラの昇降は、動作の確実性の観点からソレノイドを用いて行っていた。
【０００４】
【発明が解決しようとする課題】
しかし、前述のようにソレノイドを用いることとすると、昇降機構に必要な製造コストが高くなり、ひいては装置全体の製造コストが上昇する原因となる。
【０００５】
本発明は以上の事情に鑑みてされたものであり、その目的は、確実に昇降動作を行い、かつ、ピックアップローラが原稿を安定して加圧できる、安価なピックアップアーム昇降機構を提供することにある。
【０００６】
【課題を解決するための手段】
本発明の解決しようとする課題は以上の如くであり、次にこの課題を解決するための手段を説明する。
【０００７】
即ち、請求項１においては、駆動軸に配されたセパレートローラと、前記駆動軸を支点として回動自在に設けられるピックアップアームと、該ピックアップアームの先端に回転可能に設けられるピックアップローラを備えてなる給紙装置であって、前記ピックアップアームの基部には作動部を設け、該作動部に当接可能に作動片を設け、該作動片は、原稿が検知されたときは前記ピックアップローラを下降させ、原稿なしを検出したときには前記ピックアップローラを上昇させるように、前記ピックアップアームを揺動させるものである。
【０００８】
請求項２においては、前記作動片の形状はカム形状をなしているものである。
【０００９】
【発明の実施の形態】
次に、発明の実施の形態を説明する。
図１は本発明の一実施例に係る給紙装置の全体的な構成を示した斜視図、図２は同じく正面断面図である。
図３は給紙装置及び読取装置の構成を示した正面断面拡大図である。
【００１０】
まず、本発明の給紙装置が適用されるファクシミリ装置の概略構成について、図１・図２により説明する。
ファクシミリ装置Ｆは、下方より上方に向けて、記録装置１、読取装置２、搬送装置３０と順に配置して構成され、読取装置２と搬送装置３０とから原稿読取装置１０を構成している。
記録装置１には図２に示すように回動支点２０が設けられており、読取装置２は該記録装置１に対して回動支点２０を中心に上下回動可能とされている。記録装置１には画像形成装置３及び給紙カセット４がそれぞれ上下に内装されており、給紙カセット４内に堆積される用紙を画像形成装置３へ給紙して記録した後に、記録紙排出トレイ５へ排出するように構成している。
なお、以下の説明においては、図１等に示す矢視Ａをファクシミリ装置Ｆの前部側（正面側）として説明する。
【００１１】
前記読取装置２は、図２に示す原稿読取部６と、該原稿読取部６を内装する読取ケース１３とから構成されている。読取ケース１３の上面には透明状の原稿載置面１４が設けられており、該原稿載置面１４上に置いた原稿を該原稿載置面１４の下方から該原稿を透視できるようにしている。
【００１２】
原稿読取部６は図３に示すように、照明装置３５と、複数のミラー３６・３７・３８・３９と、受像装置４１とを備えている。原稿読取時においては、原稿読取部６を左右方向へ移動させるとともに、前記原稿載置面１４上におかれた原稿に照明装置３５より光を照射し、原稿からの反射光を前記複数のミラー３６・３７・３８・３９にて反射し、結像体４０を経由して受像装置４１にて読み取るようにしている。
読取ケース１３の上方には、その一辺を中心として開閉可能に構成される原稿押えカバー７が配置され、該原稿押えカバー７により原稿載置面１４上に載置された原稿を上方から押えるようにしている。
【００１３】
図１に示すように、読取ケース１３の前部にはキーパネル１５が付設されて、該キーパネル１５の各種操作キーを操作することにより、原稿内容の読取りを行ったり、読み取った内容をファクシミリ送信する際の送信先の設定を行ったり、受信内容や読み取った内容の画像形成装置３による記録を行ったりできるようにしている。
【００１４】
前記原稿押えカバー７の一端部には、原稿を自動的に給紙する自動原稿搬送装置（ＡＤＦ装置）である給紙装置８が付設され、該原稿押えカバー７の上方には原稿供給トレイ９が設けられている。そして、原稿押えカバー７と給紙装置８と原稿供給トレイ９とにより、前記搬送装置３０が構成されている。
【００１５】
給紙装置８の奥部と手前部には図１に示すように、左右方向のサイドフレーム３２・３３が配設されており、給紙装置８を覆うプラテンカバー３４が両サイドフレーム３２・３３間に挟まれて配置されている。
各サイドフレーム３２・３３のプラテンカバー３４側端部に沿う内側開口面には、図示しない板金製の側板がそれぞれ立状に固設されていて、駆動ローラ（例えば、後述の駆動ローラ２２）の駆動軸等の軸端を軸支している。原稿押えカバー７と、サイドフレーム３２・３３の一方または両方は、駆動ローラの駆動源及びその伝動系を覆っており、その内側面が前記板金製の側板にて覆われている。
【００１６】
給紙装置８の右側面上部には給紙口８ａが開口されており、前記原稿供給トレイ９に載置された原稿が該給紙口８ａより給紙装置８内部へ供給されるようにしている。また原稿押えカバー７の上面には、給紙口８ａの直下に配置された排紙口８ｃに連なるように、原稿排出トレイ７ｃが形成されている。そして給紙装置８内部には、給紙口８ａから排紙口８ｃまで原稿の搬送路Ｒが構成されており、後述するように該搬送路Ｒの中途部で、搬送される原稿の読取が前記原稿読取部６により行われるようにしている。
【００１７】
原稿供給トレイ９上に堆積されたシート原稿は、一枚ずつピックアップされ、給紙口８ａに供給される。前記読取ケース１３の上面において前記原稿載置面１４の左方にＡＤＦ読取面１７が設けられており、前記搬送路Ｒに沿って該ＡＤＦ読取面１７の上方を通過する原稿を、前記原稿読取部６により読み取るようにしている。このとき原稿読取部６は、前述した原稿載置面１４上の原稿を読み取る場合と異なり、図２中で実線にて示した待機位置にて静止している。読み取られた後の原稿は、排紙口８ｃから前記原稿排出トレイ７ｃ上に排出される。
【００１８】
前記搬送路Ｒは図３に示すように略「Ｕ」字状に形成されており、該搬送路Ｒ内外両側にローラが配置されて、原稿を搬送可能としている。原稿搬送路Ｒの内側は原稿搬送ガイド４２を構成しており、該原稿搬送ガイド４２に搬送路Ｒに沿ってリタードローラ２１および駆動ローラ２２・２３・２４、前記排紙口８ｃ近傍にプレスローラ２５を配置している。
また、搬送路Ｒ外側では、前記給紙口８ａ近傍にピックアップローラ２６が設けられ、前記リタードローラ２１と圧接するようにセパレートローラ２７が設けられ、前記駆動ローラ２２・２３・２４及び前記プレスローラ２５と当接するように、プレスローラ２８・２９・４３および駆動ローラ３１が設けられている。以上のローラは該搬送路Ｒに沿って上流から下流へと、前述した順で配置されている。
【００１９】
詳しくは後述するが、ピックアップローラ２６はセパレートローラ２７と連動して駆動するように構成されている。該ピックアップローラ２６は原稿供給トレイ９に載置した原稿を一枚ずつピックアップして、セパレートローラ２７とリタードローラ２１との間に移送するようにしている。
前記ピックアップローラ２６により複数枚の原稿が搬送されてきた場合には、リタードローラ２１と接触した下位の原稿を逆送して、複数枚の原稿が同時に原稿読取部６へ向けて移送されることを防ぎ、最上位にある一枚の原稿のみが原稿読取部６へ送られるようにしている。この分離の作用は、原稿と原稿間の摩擦係数よりリタードローラ２１と原稿間の摩擦係数の方を大きくすることにより現出させるものである。
【００２０】
次に、ピックアップローラにより原稿を繰り込ませるための構成について説明する。
図４はピックアップローラ、ピックアップアーム及びカムの配置を示す平面図、図５は同じく正面断面図である。
【００２１】
図４・図５に示すように、前記セパレートローラ２７は駆動軸４４に遊嵌される。該駆動軸４４とセパレートローラ２７との間には、図４に示すワンウェイクラッチ６０が介設され、更には前記セパレートローラ２７の側面にはベルト車４８が一体的に固設される。
前記ピックアップローラ２６を支持するピックアップアーム４５は、その基部を前記駆動軸４４に嵌合して揺動自在とし、その先端に、前記駆動軸４４と平行に配置した支軸４６を片持ち状に固設している。該支軸４６上にはピックアップローラ２６が回転自在に外嵌され、該ピックアップローラ２６の側面にはベルト車５０が固定されている。駆動軸４４上のベルト車４８と前記支軸４６上のベルト車５０との間にはベルト４９が巻回され、セパレートローラ２７とピックアップローラ２６とを常時連動連結させている。
【００２２】
前記ピックアップアーム４５の基部上面には係止片４５ａが一体的に形成され、該係止片４５ａには付勢バネ５２の一端が係止され、他端は固定側の図示せぬフレームに固定される。該付勢バネ５２は前記係止片４５ａを張引し、ピックアップアーム４５を下方回動させピックアップローラ２６を下降させる方向の付勢力を常時作用させるよう構成している。
【００２３】
前記駆動軸４４と平行にカム軸５１が配設され、該カム軸５１上に作動片たるカム５７を遊嵌させて配置している。該カム５７とカム軸５１との間にはワンウェイクラッチ６１が介設される。
一方、前記ピックアップアーム４５の基部にはカム従動節である作動部４５ｂが形成されており、前記カム５７の周縁を該作動部４５ｂに当接可能に構成している。
また、前記カム５７にはセンサ５８が設けられており、その検知部５８ａをカム５７が横切るのを検知して、これによりピックアップローラ２６の昇降を検出し得るように構成している。なお、本実施例では、カム５７がセンサ５８の検知部５８ａを横切ることにより前記ピックアップローラ２６の昇降を検出するようにしているが、これに限るものではなく、例えばカム軸５１上に前記カム５７とは別に適宜のフィーラを設け、該フィーラが前記センサ５８の検知部５８ａを横切ることで検知させるように構成することもできる。
【００２４】
給紙装置８には正逆転可能の図示せぬモータが配設され、該モータからの動力が前記駆動軸４４に伝達されて、該駆動軸４４は図５における時計回り方向、あるいは逆の反時計回り方向に回転駆動できるようにしている。更には、該駆動軸４４と前記カム軸５１とは適宜の図示せぬ歯車列を介して連動連結されており、前記駆動軸４４が時計回り方向に回転するときはカム軸５１が逆の反時計回りに回転し、前記駆動軸４４が反時計回り方向に回転するときはカム軸５１が逆の時計回り方向に回転するよう構成している。
【００２５】
駆動軸４４が時計回り方向に回転するときは、前記ワンウェイクラッチ６０が係合して該駆動軸４４の動力を前記セパレートローラ２７に伝達し、セパレートローラ２７は図５における時計回り方向に回転する。これと同時に、該セパレートローラ２７の回転がベルト４９を介してピックアップローラ２６に伝達され、ピックアップローラ２６が図５における同じ時計回り方向に回転する。
一方、前記駆動軸４４が反時計回り方向に回転するときは、前記ワンウェイクラッチ６０が係合を解除するので、セパレートローラ２７やピックアップローラ２６への動力伝達は断たれ、駆動軸４４は空回りするのみとなる。
【００２６】
カム軸５１が時計回り方向に回転するときは、前記ワンウェイクラッチ６１が係合し、カム５７は時計回り方向に回転して、前記ピックアップアーム４５の作動部４５ｂに当接して該ピックアップアーム４５を昇降させる。
カム軸５１が反時計回り方向に回転するときは、前記ワンウェイクラッチ６１が係合を解除するので、カム５７は駆動されず、カム軸５１は空回りするのみである。
【００２７】
以上にピックアップローラ２６やセパレートローラ２７の駆動構成が示され、次に、給紙作業中に前記ローラ２６・２７がどのように駆動されるか、図６以降を参照して説明する。
図６はカムが駆動し、ピックアップローラを下降させる様子を示した図、図７は図６の状態からピックアップローラが下降し、原稿束に接触した状態を示した図、図８は図７の状態でピックアップローラやセパレートローラが駆動され、原稿を繰り込む様子を示した図、図９は全ての原稿の繰込みが終わり、カムを駆動してピックアップローラを上昇させる状態を示した図、図１０は図９の状態からピックアップローラの上昇が完了した状態を示した図である。
【００２８】
図５に示されるのは給紙作業開始前の状態であり、前記カム５７は作動部４５ｂを介してピックアップアーム４５を上方回動させており、ピックアップローラ２６が上昇している。この状態においてユーザは給紙口８ａに原稿束５５を図示する如くセットする。給紙装置８は原稿のセットを検知する図示せぬセンサを有しており、該センサにより原稿束５５が検知されると、前記キーパネル１５にあるスタートキーが操作可能になる。
【００２９】
該スタートキーにより給紙作業の開始が給紙装置８に指示されると、前記モータは駆動軸４４を反時計回り方向に回転させる一方、カム軸５１を時計回り方向に回転させる。この様子が図６に示され、カム軸５１側に設けられたワンウェイクラッチ６１は係合してカム５７を時計回り方向に回転させ、カム５７は回転によりその端縁を徐々に後退させてピックアップアーム４５基部の作動部４５ｂに対する押動を解除し、付勢バネ５２による付勢力が作用するピックアップアーム４５は、徐々に下降回動してピックアップローラ２６を下降させ、セットされた原稿束５５の上に図７の如く接触して押圧する。
ピックアップローラ２６を下降すべき量はセットされる原稿束５５の量によって異なるが、原稿を一枚のみセットしたような場合でもピックアップローラ２６が十分下降してその原稿に接触し得るよう、ピックアップローラ２６の下降可能幅を十分確保できるように前記カム５７の形状を設定しておくこととする。
なお、前記駆動軸４４は反時計回りに回転するので、ワンウェイクラッチ６０は係合を解除し、セパレートローラ２７やピックアップローラ２６は駆動されず、駆動軸４４は空回りするのみとなる。
【００３０】
ピックアップローラ２６が下降して原稿束５５に接触し、カム５７が図６の状態から１８０度回転した状態が図７に示される。この状態でカム５７は前記センサ５８の被検知部５８ａを横切っており、これによりピックアップローラ２６の下降を検出した給紙装置８は、前記モータの回転方向を反転させて、駆動軸４４を図８に示す如く時計回りに回転させるとともに、カム軸５１を反時計回りに回転させる。
駆動軸４４側に設けられたワンウェイクラッチ６０は係合するのでセパレートローラ２７及びピックアップローラ２６は時計回りに駆動され、ピックアップローラ２６は原稿束５５の最上層から原稿を繰り込んで、図８に示す如くセパレートローラ２７とリタードローラ２１との間に送り込む。
カム軸５１側のワンウェイクラッチ６１は係合を解除され、カム５７は駆動されずカム軸５１が空回りするのみであり、ピックアップローラ２６は前記付勢バネ５２により下降して原稿束５５を押圧する状態を維持する。
このようにして、原稿束５５は上からピックアップローラ２６により繰り込まれ、セパレートローラ２７とリタードローラ２１とにより一枚ずつ分離され、その後は給紙搬送路Ｒを搬送されて、前述の読取装置２にてその内容を読み取られる。図９は全ての原稿が送り出された状態である。
【００３１】
原稿束５５の有無を検知する前記センサは図９の状態では原稿なしを検出し、これにより給紙装置８は直ちに前記モータの回転方向を再び反転させて、図９の如く駆動軸４４を反時計回りに駆動し、カム軸５１を時計回りに駆動する。
カム軸５１側のワンウェイクラッチ６１は係合するのでカム５７が時計回りに駆動され、その周縁が前記ピックアップアーム４５の作動部４５ｂに当接して押動し、ピックアップアーム４５を上昇回動させてピックアップローラ２６を上昇させ、図１０の状態とする。
一方、前記のようにピックアップアーム４５が上昇されているときは、前記駆動軸４４は反時計回りに駆動しているのでワンウェイクラッチ６０がその係合を解除し、セパレートローラ２７やピックアップローラ２６はその駆動を停止し、駆動軸４４は空回りするのみである。
【００３２】
カム５７が図９の状態から１８０度回転した状態が図１０に示され、この状態でカム５７は前記センサ５８の被検知部５８ａから離れており、これによりピックアップローラ２６の上昇を検出した給紙装置８は、モータを停止させて駆動軸４４及びカム軸５１の駆動を停止する。こうして給紙作業が終了し、新たな原稿束５５のセットが可能な状態となる。
【００３３】
本実施例では上記のように作動片５７と作動部４５ｂとによりピックアップアーム４５を昇降させることとするので、昇降動作の確実性を確保しつつ、ソレノイドを不要とすることができ、コストダウンを図れる。
更には前記作動片５７をカム形状としたので、カムのプロフィルを適宜設定することによりピックアップアーム４５の昇降を円滑なものとすることができ、原稿５５を傷めたりピックアップアーム４５やピックアップローラ２６の寿命を縮めたりすることが防止される。
【００３４】
【発明の効果】
本発明は、以上のように構成したので、以下に示すような効果を奏する。
【００３５】
即ち、請求項１に示す如く、駆動軸に配されたセパレートローラと、前記駆動軸を支点として回動自在に設けられるピックアップアームと、該ピックアップアームの先端に回転可能に設けられるピックアップローラを備えてなる給紙装置であって、前記ピックアップアームの基部には作動部を設け、該作動部に当接可能に作動片を設け、該作動片は、原稿が検知されたときは前記ピックアップローラを下降させ、原稿なしを検出したときには前記ピックアップローラを上昇させるように、前記ピックアップアームを揺動させるので、ピックアップアームの昇降動作の確実性を確保しつつ、ソレノイドを不要とすることができ、コストダウンを図れる。
【００３６】
請求項２に示す如く、前記作動片の形状はカム形状をなしているので、請求項１に示す効果のほか、ピックアップアームの揺動動作を円滑とすることができる。従って、原稿を傷めたりすることが回避されるほか、ピックアップアームやピックアップローラが過度な衝撃から保護され長寿命化される。
【図面の簡単な説明】
【図１】本発明の一実施例に係る給紙装置の全体的な構成を示した斜視図。
【図２】同じく正面断面図。
【図３】給紙装置及び読取装置の構成を示した正面断面拡大図。
【図４】ピックアップローラ、ピックアップアーム及びカムの配置を示す平面図。
【図５】同じく正面断面図。
【図６】カムが駆動し、ピックアップローラを下降させる様子を示した図。
【図７】図６の状態からピックアップローラが下降し、原稿束に接触した状態を示した図。
【図８】図７の状態でピックアップローラやセパレートローラが駆動され、原稿を繰り込む様子を示した図。
【図９】全ての原稿の繰込みが終わり、カムを駆動してピックアップローラを上昇させる状態を示した図。
【図１０】図９の状態からピックアップローラの上昇が完了した状態を示した図。
【符号の説明】
２６  ピックアップローラ
２７  セパレートローラ
４４  駆動軸
４５  ピックアップアーム
４５ｂ  作動部
５５  原稿（原稿束）
５７  作動片（カム）
【図１】
0004182646.tif 000002
【図２】
0004182646.tif 000003
【図３】
0004182646.tif 000004
【図４】
0004182646.tif 000005
【図５】
0004182646.tif 000006
【図６】
0004182646.tif 000007
【図７】
0004182646.tif 000008
【図８】
0004182646.tif 000009
【図９】
0004182646.tif 000010
【図１０】
0004182646.tif 000011